(57)【特許請求の範囲】
【請求項１】
建物の上下階に連通する共用配管スペース内に、給水管を軸方向に連設することで配設されるものであって、
上記給水管はステンレス製であり、
上記給水管は建物の階高に相当する長さを有し、
上記給水管の管本体の一端寄りの周側部からは分岐管部が一体的に形成してあり、
上記管本体の開口端部には、他の管本体と接続するための接続部が設けてある
ことを特徴とする給水竪管。
【請求項２】
建物の上下階に連通する共用配管スペース内に、給水管を軸方向に連設することで配設されるものであって、
上記給水管はステンレス製であり、
上記給水管は建物の階高に相当する長さを有し、
上記給水管の管本体の一端寄りの周側部からは分岐管部が一体的に形成してあり、
上記管本体の一端寄りに縮径部があり、
上記縮径部の上下では上記管本体の管径が異なり、かつこの縮径部からこの管本体の両端部までは同一管径であり、
上記管本体の開口端部には、他の管本体と接続するための接続部が設けてある
ことを特徴とする給水竪管。
【請求項３】
建物の上下階に連通する共用配管スペース内に、給水管を軸方向に連設することで配設されるものであって、
上記給水管はステンレス製であり、
上記給水管は建物の階高に相当する長さを有し、
上記給水管の管本体の一端寄りの周側部からは分岐管部が一体的に形成してあり、
上記管本体の開口端部には、他の管本体と接続するための接続部が設けてあり、
上記接続部はスラブ面よりも作業性に適応した所定の高さに配設してある
ことを特徴とする給水竪管。
【発明の詳細な説明】
【０００１】
【産業上の利用分野】
本発明は、給水竪管に関するものである。
【０００２】
【従来の技術】
従来、集合住宅の給水配管としては、上下階に連通する共用配管スペースに、上下階に連接された共用給水竪管（以下「共用竪管」という）を配設し、各階の共用配管スペース内で各専用住戸に必要な配管を分岐し、この共用配管スペースから各専用住戸に配管するようにしている。そして、共用竪管には、一般にライニング鋼管（鉄製の管材の内面を塩化ビニルでコーティングしたもの）が用いられており、配管の分岐は、上下のライニング鋼管の間の分岐部にチーズ（鉄製の鋳物からなるＴ字形配管継手で、その内面及び表面をエポキシ系樹脂でコーティングしたもの）を設けてライニング鋼管同士を接続している。
【０００３】
また、共用竪管は、下層階よりポンプ圧送する場合、上層階に行くに従って管径を縮径するように構成されるが、上下の管径の異なるライニング鋼管間の縮径部には、径違いソケット（管径が異なる配管同士を接続する鉄製鋳物の管継手で、その内面及び表面をエポキシ系樹脂でコーティングしたもの）を用いて連結している。
【０００４】
一方、共用配管スペース内で分岐された配管は、バルブ、減圧弁及び給水メータを経て専用住戸内に配設される。この場合の配管材料は、ライニング鋼管が一般的であり、曲管部にはエルボ（鉄製の鋳物からなるＬ字形配管継手で、その内面及び表面をエポキシ系樹脂でコーティングしたもの）が使用されている。そして、バルブ、減圧弁及び給水メータ等の機器は青銅製を用いるのが一般的である。
【０００５】
【発明が解決しようとする課題】
しかしながら、上記従来の集合住宅の給水設備及びこれに使用される給水配管には、次のような問題点があった。
【０００６】
第１に、共用竪管が鋼管であるために相当の重量があり、配管作業に多大な人力を必要とする。
【０００７】
第２に、共用竪管間の分岐部にチーズを用いているが、一般に鋼管端部をねじ切りしてチーズにねじ込むので、作業に手間がかかる。また、接続部には、防食のための硬質塩化ビニル等のコア材を設けるが、鋼管の端部のねじ切精度を必要とするので施工者の熟練を要する。
【０００８】
第３に、共用竪管の縮径には径違いソケットを用いているが、チーズと同様に接合に手間がかかる。
【０００９】
第４に、共用配管スペースで分岐される配管は、建物の設計により共用配管スペースの大きさ、配管経路等が異なる上に、共用配管スペース内には給水管の他にガス管、電気配線、テレビ・電話・インタホン等の情報機器配線等の多数の配管、配線があり、スペース的に狭いために、スペース及び経路に合わせて鋼管を切断し、鋼管端部をねじ切りし、かつ、曲管部にはエルボを設けて接続するという大変な手間と施工者の熟練を必要とする。
【００１０】
第５に、共用配管スペース内でバルブ、減圧弁及び給水メータ等が接続される部分は、青銅と鉄という自然電位の異なる異種金属が水道水を介して接し、いわゆるガルバニック腐食を生じるおそれがあるため、施工時には十分な絶縁（ねじ込みの際、ゴムパッキンを入れるが、施工の不良が腐食につながる）が必要となる。
【００１１】
そこで、これらの解決手段として、第１には、共用竪管に使用する鋼管に、チーズ又は径違いソケットを予め工場で取り付け、それを現場に搬入することも考えられるが、チーズ又は径違いソケットの接合手間が減少するものの共用竪管同士をねじ込み接合する手間は変わらず、重量は逆に増えるために作業性の改善にはならないという問題点がある。また、共用竪管の本管部と分岐管部を一体成形し、本管の両端部に鍔を設けて、鍔同士をボルト接合する鋼管もあるが、この場合、共用竪管同士の接合は、ねじ込み接合に比べて若干手間が省けるものの、重量的には問題の解決がなされておらず、かつ、本管内部のみならず分岐管部及び鍔部にもコーティングする必要があり、そのため製造の手間がかかるのでコスト高になるという問題点がある。さらに、鋼管に代えて軽量の塩化ビニル管等の合成樹脂管を使用することも考えられるが、耐火性などの問題から共用竪管には不向きである。さらにまた、本管の直管部分だけをステンレス製にして、分岐管部及び縮径部には、銅合金などからなるチーズ又は径違いソケットを用いることもあるが、この場合、接合作業の手間は改善されず、コストも高いという問題点がある。
【００１２】
第２には、共用配管スペースでの分岐以降の配管において、各住戸内の配管の一部には、サビ等の腐食がないＰＢ管（ポリブテン管）又は架橋ポリエチレン管等の合成樹脂管も使用されているが、給水メータ等が設置されている共用配管スペースと各専用住戸との間の区画壁の配管貫通部には、火災の際の延焼防止のためにＰＢ管等の合成樹脂製配管は使用することができないことから、鋼管が使用されており、そのため特に複雑な配管がなされる共用配管スペース内でも鋼管による多数のジョイントを用いた配管がなされており、この面でも上記と同様に、腐食性、作業性及びコスト等の問題点が解決されていない。
【００１３】
第３には、ガルバニック腐食に対応するためには、バルブ、減圧弁及び給水メータ等の機器と同種の砲金（青銅等の銅合金）などの金属により配管することが考えられるが、この種の金属は大変コスト高であるという問題点がある。
【００１４】
そこで、本発明の目的は、低コストで、腐食の問題がなく、かつ配管作業の軽減を図る給水竪管を提供することにある。
【００１５】
【課題を解決するための手段】
上記目的を達成するために、本発明の給水竪管の第１の特徴は、建物の上下階に連通する共用配管スペース内に、給水管を軸方向に連設することで配設されるものであって、上記給水管はステンレス製であり、上記給水管は建物の階高に相当する長さを有し、上記給水管の管本体の一端寄りの周側部からは分岐管部が一体的に形成してあり、上記管本体の開口端部には、他の管本体と接続するための接続部が設けてあるところにある。
【００１６】
給水竪管の第２の特徴は、建物の上下階に連通する共用配管スペース内に、給水管を軸方向に連設することで配設されるものであって、上記給水管の管本体の一端寄りに縮径部があり、上記縮径部の上下では上記管本体の管径が異なり、かつこの縮径部からこの管本体の両端部までは同一管径でありところにある。
【００１７】
給水竪管の第３の特徴は、建物の上下階に連通する共用配管スペース内に、給水管を軸方向に連設することで配設されるものであって、
上記給水管の管本体の開口端部には、他の管本体と接続するための接続部が設けてあり、上記接続部はスラブ面よりも作業性に適応した所定の高さに配設してあるところにある。
【００１８】
【実施例】
以下、図１ないし図１１を参照して本発明の実施例を説明する。
【００１９】
図１は、集合住宅の給水設備の全体構成を概念的に示す。受水槽２からポンプ室３を経て集合住宅１のピット（配管スペース）４まで地下の埋設管５が延びている。埋設管５には鋼管を用いてもよいが、この例ではステンレス管を用いている。埋設管５はピット内配管６に接続されている。ピット内配管６には鋼管でもよいがステンレス管を用いている。ピット内配管６からは複数の共用竪管７が立設されている。各共用竪管７から各専用住戸８に給水される。なお、埋設管５及びピット内配管６に、ライニング鋼管などの鋼管を用いてもよいのは、配管系が一系統であり、作業性においてステンレス管を用いた場合と大差がないためである。ただし、耐腐食性を考慮するとステンレス管を用いるのが好ましい。
【００２０】
図２は、共用竪管７の構成を示す。共用竪管７は、集合住宅１の各スラブ９を貫通して延びている。共用竪管７は、ユニット化されたステンレス製の給水管７１，７２を、ジョイント７３により軸方向に接続して構成している。給水管７１，７２は、建物の階高Ｈ１、Ｈ２に相当する長さを有し、作業性を考えて、スラブ面９ａよりも５００mm程度の高さｗが作業性に適応し、この位置にジョイント７３を設けるように配設する。
【００２１】
図３は、給水管７１を示すものであり、管本体７１ａの周側部からは管本体より縮径した分岐管部７１ｂが管本体７１ａと一体に形成され、ユニット化されている。管本体７１ａの上下の開口端部近傍には、ジョイント７３と嵌合するリング状の嵌合凹部７１ｃが設けてある。管本体７１ａの軸方向中間部には縮径部であるテーパ面７１ｄにより縮径され、上部が細くなっている。したがって、図３のように、給水管７１の管本体７１ａは、テーパ面７１ｄの上下では管径が異なり、このテーパ面からこの管本体の両端部までは同一管径で形成してある。
【００２２】
図４は、給水管７２を示すものである。給水管７２は管本体７２ａが、上記の給水管７１と異なって上下に同径に形成されている。給水管７２の他の構成は、給水管７１と同じである。なお、図５に示すように、リング状の嵌合凹部７１ｃ，７２ｃに代えて、リング状の嵌合凸部７１ｅ（７２ｅ）を設けてもよい。
【００２３】
給水管７１，７２は、その形状、寸法が規格化されている。例えば、集合住宅の階高が７階建ての場合、１階及び２階部分の階高が２８６０mm、３階以上の上階の階高が２７６０mmの２種類の標準があるので、給水管７１，７２の全長Ｌ１は、約３０００mmに設定されている。そして、現場への搬入に当たっては、上記の２種類の標準（２８６０mm又は２７６０mm前後）に合わせて、その上端部を工場で適宜切断し、図示しないローラで嵌合凹部７１ｃ，７２ｃを形成して搬入すればよい。なお、嵌合凸部７１ｅ（７２ｅ）を設ける場合は、給水管７１，７２を切断した後に適宜嵌合凸部７１ｅ（７２ｅ）を溶接しておく。また、分岐管７１ｂ，７２ｂ及び縮径部であるテーパ面７１ｄは、共用配管スペース１１内での給水メータ１２、湯沸器１９などの設置位置（高さ）との関係から（図１０参照）、スラブ面９ａ（図２参照）から１０００ｍｍ前後の範囲内に納めるのが好ましい。したがって、図３及び図４において、給水管７１，７２の分岐管部７１ｂ，７２ｂの位置（高さ）Ｌ２は約１５０mmに設定され、給水管７１のテーパ面７１ｄの位置（高さ）Ｌ３は約５００mmに設定されている。即ち、分岐管部７１ｂの高さＬ２は、給水管７１の全長Ｌ１の一端から２０分の１寄りになっており、また、テーパ面７１ｄの高さＬ３は、この給水管７１の全長Ｌ１の一端から６分の１寄りになっている。
【００２４】
このように、管の長さ、分岐位置、縮径位置が規格化されているので、工場生産が容易となり、また共用配管スペース１１内の配管の規格化が可能となる。そして、給水管７１，７２は分岐管部７１ｂ，７２ｂ及び接続部の嵌合凹部７１ｃ，７２ｃを含めてユニット化されているので、現場での施工が大幅に効率化される。
【００２５】
また、給水管７１，７２は、上記のようにステンレス（ＳＵＳ３０４）製であるので、軽量で、作業性がよい。ステンレス（ＳＵＳ３０４）は、その自然電位の巾が広いので、従来の鋼管に比べて、異種金属製のジョイント、例えば、青銅等との自然電位差が小さいため、ジョイントの腐食される度合いが小さい。したがって、給水管７１，７２では、耐食性が向上する上に、コア材、ゴムパッキン等での絶縁を不要とすることも可能となり接合作業が容易となる。
【００２６】
図６は、給水管７１（７２）同士をジョイント７３で接続した状態を示すものである。給水管７１（７２）のリング状嵌合凹部７１ｃ（７２ｃ）に、ジョイント７３のリング状嵌合凸部７３ａが嵌合しており、ジョイント７３内に設けた凹部７３ｂ内にゴムパッキン７４が設けてあり、給水管７１（７２）の端部に弾発的に密接している。ゴムパッキン７４には空隙部７４ａが形成してあると共に、給水管７１（７２）の端部同士は所定の空隙ｈを開けて接続してあるので、給水管７１（７２）同士は、ジョイント７３のリング状嵌合凸部７３ａを支点として、径方向に揺動可能に連結されている。したがって、多少の施工のずれ、又は地震等によるゆれに対応可能である。なお、図７は、給水管７１（７２）にリング状嵌合凸部７１ｅ（７２ｅ）を設け、リング状嵌合凹部７５ａを設けたジョイント７５により接続した他の実施例を示している。この例でもジョイント７５には、凹部７５ｂ内にゴムパッキン７４が設けてあり、給水管７１（７２）の端部に弾発的に密接している。ゴムパキッキン７４には空隙部７４ａが形成してあると共に、給水管７１（７２）の端部同士は所定の空隙ｈを開けて接続してあるので、給水管７１（７２）同士は、ジョイント７５のリング状嵌合凹部７５ａを支点として、径方向に揺動可能に連結されている。なお、この実施例ではジョイント７３，７５は、鉄製の鋳物からなるが、ゴムパッキンで絶縁されているので、特に材質は限定されない。
【００２７】
図２に示すように、給水管７１，７２の分岐管部７１ｂ，７２ｂは、集合住宅１の各階毎に１つづつ配置されるように設けてある。なお、図８及び図９に示すように、分岐管部７１ｂ，７２ｂを２個所設けるようにしてもよい。
【００２８】
また、給水管７１は、上記のように管本体７１ａの中間部にテーパ面７１ｄを形成して上部を下部よりも縮径して形成しているので、この給水管７１の上下に他の給水管を接続する場合に、上側は下側よりも径の小さい給水管を接続できるようになっている。したがって、従来のように径違いソケットを必要としない。図２では、このようにして上方の階へ向かうに従って、漸次、径の小さい給水管７１，７２を接続した例を示している。なお、高架水槽による給水の場合には、逆に下方の階へ向かうに従って、漸次、径の小さい給水管７１，７２を接続するようにすればい。なお上記の場合、給水管７１及び７２のそれぞれについて予め径のことなる管を用意しておく。
【００２９】
給水管７１，７２の分岐管部７１ｂ，７２ｂは、集合住宅１各階の共用配管スペース内で、チーズ１０（図１０図示）に接続される。
【００３０】
図１０は、集合住宅１の各階に設置され、周知のように上下階に連通する共用配管スペース（メータボックス）１１内の配管を示すものであり、１本の共用竪管から２戸の専用住戸に配管する構成を示したものである。なお、図において給水管以外の配置は省略されている。共用配管スペース１１内には共用竪管７が上下に貫通している。共用竪管７を構成する給水管７１、７２（管本体７１ａ，７２ａ）から分岐した分岐管７ｂ（分岐管部７１ｂ，７２ｂ）は、管継手であるチーズ１０に接続されている。チーズ１０から給水メータ１２までの給水メータ一次側の配管１３は、バルブ１４と減圧弁１５に接続されている。この配管１３はステンレス管を用いている。給水メータ１２から各専用住戸８内の給水栓接続Ｓ（図１２）までの給水メータ二次側には、給水メータ１２からチーズ１６までを配管１７で接続している。この配管１７は、この例ではステンレス管を用いている。チーズ１０，１６、図示しないエルボなどの配管継手には、ステンレスとの電位差の小さい砲金（銅合金）を用いている。
【００３１】
給水メータ二次側のチーズ１６から専用住戸８内に延びる配管１８は分岐しており、配管１８ａは湯沸器１９に接続され、湯沸器１９から延びる配管１８ｂは、専用住戸８と共用配管スペース１１を区画する区画壁２０の貫通孔２０ａを貫通している。チーズ１６から延びる配管１８ｃは、一般水道用の配管であり、区画壁２０の貫通孔２０ｂを貫通している。配管１８は、図１２に示すように、専用住戸８内の天井部に配管されており、各給水栓接続Ｓに接続されている。すなわち、区画壁２０を貫通した給水管（給湯管）１８ｂ、給水管１８ｃ及びガス管Ｇは、柱などにそって設けてある配管スペース２０ｃ内で、天井まで立ち上げられ、天井裏を配管されて、ヘッダーＤを介して各水廻りに配管されている。
【００３２】
配管１８には、鞘管式のＰＢ管を用いている。この鞘管は、塩化ビニル製の外管内にポリブテン製の給水管を貫通させたものである。
【００３３】
貫通孔２０ａ，２０ｂと配管１８ｂ，１８ｃとの間には、熱膨張耐火材Ｎが充填されている。この熱膨張耐火材Ｎは、含水珪酸ソーダ等からなり、火災等の場合に熱膨張してＰＢ管よりなる配管１８ｂ，１８ｃを押しつぶすと同時に、貫通孔２０ａ，２０ｂを閉塞する。すなわち、熱膨張耐火材Ｎは閉塞手段を構成している。これにより、火災の時の延焼を有効に阻止することができるので、従来のように、専用住戸と共用配管スペース間の区画壁を貫通する配管に鋼管を使用する必要がなく、ＰＢ管等の合成樹脂管を用いることができる。
【００３４】
図１１は、他の実施例に係る１本の共用竪管７から１戸の専用住戸８に配管する場合の共用配管スペース１１内の配管を示すものであり、その構成は、図１０に示す例の共用竪管７の分岐管から二股に分かれた配管のうちの一方の配管の構成と基本的に同様であるので、図１０に示す構成部材と同一の構成部材については、同一の符号を付し、その説明を省略する。
【００３５】
【発明の効果】
以上に述べたように、本発明の給水管は、管本体に枝管をなす分岐管部と、ジョイントとの接続部を予め形成してユニット化されたステンレス製の管であるので、低コストで、耐食性に優れ、施工の作業効率性がよい。また、給水管の管本体に縮径部を設けているので、径違いソケットが不要であり、一層低コストで作業性も向上する。
【００３６】
また、本発明の集合住宅の給水設備では、共用竪管が管本体に枝管をなす分岐管部とジョイントとの接続部を予め形成してユニット化されたステンレス管を複数連結して構成してあるので、低コストで、耐食性に優れ、施工の作業効率性がよい。
【図面の簡単な説明】
【図１】本発明の集合住宅の給水設備の全体構成を概念的に示した正面図である。
【図２】本発明の集合住宅の給水設備に係る共用竪管を示す拡大正面図である。
【図３】本発明の給水管を示す正面図である。
【図４】本発明の給水管を示す正面図である。
【図５】図３のＡ部における変形例を示す部分拡大図である。
【図６】給水管接続部の一実施例を示す拡大断面図である。
【図７】給水管接続部の他の実施例を示す拡大断面図である。
【図８】図８（ａ）は給水管の他の実施例の正面図、図８（ｂ）は図８（ａ）の側面図、図８（ｃ）は図８（ｂ）のＡ−Ａ線断面図、図８（ｄ）は図８（ｂ）のＢ−Ｂ線断面図である。
【図９】図９（ａ）は給水管の他の実施例の正面図、図９（ｂ）は図９（ａ）の側面図、図９（ｃ）は図９（ｂ）のＡ−Ａ線断面図、図９（ｄ）は図９（ｂ）のＢ−Ｂ線断面図である。
【図１０】本発明の集合住宅の給水設備の一実施例に係る共用配管スペース内の配管を概念的に示す模式図である。
【図１１】本発明の集合住宅の給水設備の他の実施例に係る共用配管スペース内の配管を概念的に示す模式図である。
【図１２】本発明の集合住宅の給水設備の一実施例に係る共用配管スペースから専用住戸内の配管を示す平面図である。
【符号の説明】
１              集合住宅
７              共用竪管
７１，７２      給水管
７１ａ，７２ａ  管本体
７１ｂ，７２ｂ  分岐管部
７１ｃ，７２ｃ  接続部（嵌合凹部）
７１ｅ，７２ｅ  接続部（嵌合凸部）
７３，７５      接続体（ジョイント）
８              専用住戸
１１            共用配管スペース
１２            給水メータ
１７            給水メータ二次側配管（ステンレス管）
１８            給水メータ二次側配管（ＰＢ管）
２０            区画壁
２０ａ，２０ｂ  貫通孔
Ｎ              閉塞手段（熱膨張耐火材）
Ｓ              給水栓接続
【図１】
0003612112.tif 000002
【図２】
0003612112.tif 000003
【図３】
0003612112.tif 000004
【図４】
0003612112.tif 000005
【図５】
0003612112.tif 000006
【図６】
0003612112.tif 000007
【図７】
0003612112.tif 000008
【図８】
0003612112.tif 000009
【図９】
0003612112.tif 000010
【図１０】
0003612112.tif 000011
【図１１】
0003612112.tif 000012
【図１２】
0003612112.tif 000013